(57)【要約】【課題】  光空間伝送で一時的な光路遮断の影響を解消する。【解決手段】  電気／光（Ｅ／Ｏ）変換器１４はデータ信号を直線偏波の光信号に変換する。偏波分離器１６は、Ｅ／Ｏ変換器１４の出力信号光を均等な光パワーのＰ波とＳ波に分離する。光遅延器１８はＳ波を所定時間Ｔｄだけ遅延する。偏波合成器２０は、光遅延器１８からのＳ波と偏波分離器１６からのＰ波を直交偏波で合成する。投射レンズ２２は偏波合成器２０の出力信号光を空間伝送路に投射する。空間伝送路に投射された信号光ビームは、集光レンズ３２を介して偏波分離器３４に入射する。偏波分離器３４は入射光をＰ波とＳ波に分離する。光遅延器３６はＰ波をＴｄだけ遅延する。偏波合成器３８は、光遅延器３６からのＰ波と偏波分離器３４からのＳ波を合成する。光／電気（Ｏ／Ｅ）変換器４０は、偏波合波器３８の出力信号光を電気信号に変換する。【選択図】  図１
2005278024.tif 000002
【特許請求の範囲】
【請求項１】
データを搬送する第１の信号光、当該データを当該第１の信号光よりも所定時間（Ｔｄ）遅れて搬送する第２の信号光を生成する信号光生成ステップと、
当該第１及び第２の信号光を空間伝送路に投射する投射ステップと、
当該空間伝送路からの当該第１の信号光により搬送される第１の信号を当該所定時間、遅延する遅延ステップと、
当該空間伝送路からの当該第２の信号光により搬送される第２の信号と、遅延された当該第２の信号を合成して合成信号を生成する合成ステップと、
当該合成信号から当該データを復元する復元ステップ
とを具備することを特徴とする光空間伝送方法。
【請求項２】
当該第１及び第２の信号光が、互いに直交する偏波の信号であり、当該空間伝送路を同一光ビームとして伝搬することを特徴とする請求項１に記載の光空間伝送方法。
【請求項３】
当該信号光生成ステップが、
当該データを直線偏波の光信号に変換する電気／光変換ステップと、
当該光信号を互いに直交する偏波の２つの光成分に分離し、その一方の光成分を当該第１の信号光として出力する偏波分離ステップと、
当該偏波分離ステップで分離された他方の偏波成分を当該所定時間、遅延し、当該第２の信号光として出力するステップ
とを具備することを特徴とする請求項２に記載の光空間伝送方法。
【請求項４】
当該遅延ステップが、当該空間伝送路からの当該第１の信号光を当該所定時間、遅延するステップであり、
当該合成ステップが、当該遅延ステップで遅延された当該第１の信号光と、当該空間伝送路からの当該第２の信号光を互いに直交する偏波で合成する偏波合成ステップを具備する
ことを特徴とする請求項１乃至３の何れか１項に記載の光空間伝送方法。
【請求項５】
当該遅延ステップが、当該空間伝送路からの当該第１の信号光を第１の電気信号に変換する第１の変換ステップと、当該第１の電気信号を当該所定時間、遅延する電気遅延ステップとを具備し、
当該合成ステップが、当該空間伝送路からの当該第２の信号光を第２の電気信号に変換する第２の変換ステップと、当該第２の電気信号を当該電気遅延ステップで遅延された当該第１の信号光と合成する電気合成ステップとを具備する
ことを特徴とする請求項１乃至３の何れか１項に記載の光空間伝送方法。
【請求項６】
データを搬送する第１の信号光、当該データを当該第１の信号光よりも所定時間（Ｔｄ）遅れて搬送する第２の信号光を生成する信号光生成装置（１４，１６，１８；２１４，２１６，２２０）と、
当該第１及び第２の信号光を空間伝送路に投射する投射光学系（２０，２２；２１８，２２２）と、
当該空間伝送路からの当該第１及び当該第２の信号光を含む光を受光する受光光学系（３２，３４；７０，７２；２４２，２４８）と、
当該空間伝送路からの当該第１の信号光により搬送される第１の信号を当該所定時間、遅延する遅延器（３６，７８，２５４）と、
当該空間伝送路からの当該第２の信号光により搬送される第２の信号と、遅延された当該第２の信号を合成して合成信号を生成する合成器（３８，８０，２５６）と、
当該合成信号から当該データを復元する復元装置（４０，４２，４４；８２；２５８）
とを具備することを特徴とする光空間伝送システム。
【請求項７】
当該投射光学系が、当該第１及び第２の信号光を互いに直交する偏波で合成する偏波合成器（２０）と、当該偏波合成器の出力光を当該空間伝送路に投射する投射レンズ（２２）とを具備することを特徴とする請求項６に記載の光空間伝送システム。
【請求項８】
当該信号光生成装置が、
当該データを直線偏波の光信号に変換する電気／光変換器（１４）と、
当該光信号を互いに直交する偏波の２つの光成分に分離し、その一方の光成分を当該第１の信号光として出力する偏波分離器（１６）と、
当該偏波分離器（１６）で分離された他方の偏波成分を当該所定時間、遅延し、当該第２の信号光として出力する光遅延器（１８）
とを具備することを特徴とする請求項６又は７に記載の光空間伝送システム。
【請求項９】
当該受光光学系が、当該空間伝送路から入力する光から当該第１の信号光及び当該第２の信号光を分離する信号光分離装置（３４，７２）を具備することを特徴とする請求項６乃至８の何れか１項に記載の光空間伝送システム。
【請求項１０】
当該信号光分離装置（３４）が、偏光分離装置からなる請求項９に記載の光空間伝送システム。
【請求項１１】
当該遅延器が、当該空間伝送路からの当該第１の信号光を当該所定時間、遅延する光遅延器（３６）であることを特徴とする請求項６乃至１０の何れか１項に記載の光空間伝送システム。
【請求項１２】
当該合成器が、当該光遅延器（３６）の出力信号光と、当該空間伝送路からの当該第２の信号光を互いに直交する偏波で合成する偏波合成器（３８）であることを特徴とする請求項１１に記載の光空間伝送システム。
【請求項１３】
更に、当該空間伝送路からの当該第１及び第２の信号光をそれぞれ第１及び第２の電気信号に変換する第１及び２の光／電気変換器（７４Ｐ，７４Ｓ）を具備し、
当該遅延器が、当該第１の光／電気変換器（７４Ｐ）からの当該第１の電気信号を当該所定時間、遅延する電気遅延器（７８）であり、
当該合波器が、当該電気遅延器（７８）により遅延される当該第１の信号に当該第２の光／電気変換器（７４Ｓ）の出力信号からの当該第２の信号を合成する電気合成器（８０）である
ことを特徴とする請求項６乃至１０の何れか１項に記載の光空間伝送システム。
【請求項１４】
当該信号光生成装置が、
当該データを当該所定時間、遅延する電気遅延器（２１４）と、
当該電気遅延器（２１４）の出力電気信号を当該第１の光信号に変換する第１の電気／光変換器（２１６）と、
当該データを当該第２の光信号に変換する第２の電気／光変換器（２２０）
とを具備し、
当該投射光学系が、当該第１及び当該第２の信号光を別々の光ビームとして当該空間伝送路に投射する光学系（２１８，２２２）からなる
ことを特徴とする請求項６に記載の光空間伝送システム。
【発明の詳細な説明】
【技術分野】
【０００１】
本発明は、光信号を空間伝搬する光空間伝送方法及びシステムに関する。
【背景技術】
【０００２】
従来、自由空間で光信号を伝搬させて通信を行う光空間伝送方式は、広く知られている。光空間伝送方式では、雨、霧、煙及び鳥等による光路遮蔽が信号誤りの原因となる。このような光路遮蔽による受信レベルの低下を防ぐ方法として、従来、複数の光路を設定し、複数の光源及び複数の受光器を用いたダイバーシティ方式と、送信ビーム径を距離に従って拡張する方式が提案されている。
【発明の開示】
【発明が解決しようとする課題】
【０００３】
しかし、前者の方法では、複数の光源及び複数の受光器を用いると送受信装置が大きくなり、コストの増加につながる。複数の光路が同時に遮断された場合には、伝送エラーが避けられない。後者の方法では、受信装置に近い位置では、鳥等によるビームの遮断の影響が小さいが、送信装置に近い位置では、ビーム径が小さいので、鳥等による遮断の影響を無視できず、伝送エラーが発生する。
【０００４】
誤り訂正装置を導入したとしても、ビーム遮断によるバーストエラーを訂正するには限界がある。
【０００５】
本発明は、簡易な構成でビーム遮断による悪影響を軽減できる光空間伝送方法及びシステムを提示することを目的とする。
【課題を解決するための手段】
【０００６】
本発明に係る光空間伝送方法は、データを搬送する第１の信号光、当該データを当該第１の信号光よりも所定時間（Ｔｄ）遅れて搬送する第２の信号光を生成する信号光生成ステップと、当該第１及び第２の信号光を空間伝送路に投射する投射ステップと、当該空間伝送路からの当該第１の信号光により搬送される第１の信号を当該所定時間、遅延する遅延ステップと、当該空間伝送路からの当該第２の信号光により搬送される第２の信号と、遅延された当該第２の信号を合成して合成信号を生成する合成ステップと、当該合成信号から当該データを復元する復元ステップとを具備することを特徴とする。
【０００７】
本発明に係る光空間伝送システムは、データを搬送する第１の信号光、当該データを当該第１の信号光よりも所定時間（Ｔｄ）遅れて搬送する第２の信号光を生成する信号光生成装置と、当該第１及び第２の信号光を空間伝送路に投射する投射光学系と、当該空間伝送路からの当該第１及び当該第２の信号光を含む光を受光する受光光学系と、当該空間伝送路からの当該第１の信号光により搬送される第１の信号を当該所定時間、遅延する遅延器と、当該空間伝送路からの当該第２の信号光により搬送される第２の信号と、遅延された当該第２の信号を合成して合成信号を生成する合成器と、当該合成信号から当該データを復元する復元装置とを具備することを特徴とする。
【発明の効果】
【０００８】
本発明によれば、鳥などにより光路が一時的に遮断されても、支障なくデータを伝送できる。
【発明を実施するための最良の形態】
【０００９】
以下、図面を参照して、本発明の実施例を詳細に説明する。
【実施例１】
【００１０】
図１は、本発明の第１実施例の概略構成ブロック図を示す。光送信装置１０は信号光ビームを空間伝送路を介して光受信装置３０に送信する。
【００１１】
光送信装置１０では、誤り訂正符号化装置１２が、送信データを誤り訂正符号化する。電気／光（Ｅ／Ｏ）変換器１４が、誤り訂正符号化装置１２から出力されるデータを直線偏波の光信号に変換する。Ｅ／Ｏ変換器１４の出力信号光は、偏波分離器１６の主軸に対して４５度傾いた偏波方向で、偏波分離器１６に入射する。偏波分離器１６は、Ｅ／Ｏ変換器１４の出力信号光をほぼ均等な光パワーのＰ波と、Ｐ波と直交するＳ波に分離する。偏波分離器１６で分離されたＳ波は、所定時間Ｔｄの遅延時間を具備する光遅延器１８を介して偏波合成器２０に入射し、偏波分離器１６で分離されたＰ波は、直接、偏波合成器２０に入射する。遅延時間Ｔｄは、鳥などによる光路遮断時間より長く設定される。偏波合成器２０は、入射するＳ波とＰ波を直交状態のまま合波し出力する。送信光学系である投射レンズ２２は、偏波合成器２０の出力信号光を空間伝送路に投射する。
【００１２】
光受信装置３０の受信光学系である集光レンズ３２は、光送信装置１０から空間伝送路に投射された信号光ビームを集光し、偏波分離器３４に入射する。偏波分離器３４は、集光レンズ３２からの信号光ビームを、偏波分離器１６により分離されたＰ波と同じ偏波方向成分（Ｐ波）とこれに直交する偏波成分成分（Ｓ波）に分離する。偏波分離器３４で分離されたＰ波は、光遅延器１８と同じ所定時間Ｔｄの遅延時間を具備する光遅延器３６を介して偏波合成器３８に入射し、偏波分離器３４で分離されたＳ波は、直接、偏波合成器３８に入射する。偏波合成器３８は、入射するＳ波とＰ波を直交状態のまま合成し出力する。光／電気（Ｏ／Ｅ）変換器４０は、偏波合波器３８の出力信号光を偏波依存性無しで電気信号に変換する。弁別器４２は、O／E変換器４０の出力電気信号を所定の閾値に従い弁別する。誤り訂正装置４４は、弁別器４２で弁別されたディジタル信号に含まれる伝送エラーを、誤り訂正符号化装置１２による誤り訂正符号を使って訂正する。
【００１３】
図２は、本実施例のタイミングチャートの一例を示す。図２を参照して、本実施例の特徴的な動作を説明する。波形５０は、偏波分離器１６により分離されたＰ波を示し、波形５２は偏波分離器１６により分離されたＳ波を示す。波形５０，５２は同じデータを搬送するので、全く同じ波形になる。波形５４は光遅延器１８により時間Ｔｄだけ遅延されたＳ波を示す。波形５２に示すＰ波と波形５４で示すＳ波が、直交偏波多重されて、光送信装置１０から光受信装置３０に送信される。但し、Ｓ波は、時間Ｔｄだけ遅れて、Ｐ波と全く同じデータを搬送する。
【００１４】
波形５６は偏波分離器３４で分離されたＰ波を示し、波形５８は偏波分離器３４で分離されたＳ波を示す。図２にｔ１からｔ２で示す期間に、鳥などが空間伝送路を遮断したとする。これにより、偏波分離器３４で分離されるＰ波（波形５６）及びＳ波（波形５８）は、ｔ１からｔ２に相当する斜線部分で光強度がゼロになる。波形６０は、光遅延器３６で時間Ｔｄだけ遅延されたＰ波を示す。偏波合成器３８は波形５８に示すＳ波と波形６０に示すＰ波を合成する。波形６２は、偏波合成器３８から出力される合成光を示す。
【００１５】
遅延時間Ｔｄは、鳥などによる光路遮断時間より長く設定されるので、波形５８と波形６０とでは、光路遮断による影響を受ける位置が時間軸で重ならない。また、送信装置１０ではＳ波をＴｄだけ遅らせ、受信装置３０ではＰ波をＴｄだけ遅らせるので、偏波合波器３８に入力するＰ波とＳ波は、光路遮断が生じた箇所を除いては、全く同じ時間波形になる。偏波合成器３８による合成光の波形６２は、光路遮断の影響の無い箇所では、Ｓ波（波形５８）及び遅延したＰ波（波形６０）を直交偏波で合成した波形になる。他方、光路遮断の影響がある箇所では、Ｓ波（波形５８）又は遅延したＰ波（波形６０）の光強度がゼロになっているので、合成光の光強度は、他の箇所の半分になる。
【００１６】
弁別器４２の弁別閾値は、通常であれば、パルスピークの半分程度に設定されるところ、本実施例では、パルスピークの１／４程度に設定する。これにより、光路遮断の影響により光強度が通常の半分になった箇所の信号を正しく弁別できる。
【００１７】
本実施例では、同じ光路上で同じデータを時間軸上で前後して伝送することで、冗長性を持たせ、光路障害に強くしている。同じデータを搬送する信号光を互いに直交する偏波で同じ光路上に伝送するので、光送信装置１０と光受信装置３０との間の光軸調整が容易になり、光受信装置でこれらの信号光を分離するのが容易になる。受信装置３０において、互いに直交する偏波の信号光をその時間のずれを解消して合成し、その合成光を電気信号に変換するので、電気処理系が簡略になる。同じ遅延時間の光遅延器１８，３６は、例えば、同じ長さの光ファイバを使用することで容易に実現できる。
【実施例２】
【００１８】
図１に示す実施例の光学系、即ち、偏波分離器１６から偏波合成器３８までの光学系は、双方向に利用可能である。従って、図１に示す実施例を双方向光伝送に拡張することは容易である。図３は、双方向に拡張した第２実施例の概略構成ブロック図を示す。
【００１９】
光送受信装置１１０Ａから光送受信装置１１０Ｂへのデータ伝送を説明する。
【００２０】
光送受信装置１１０Ａの誤り訂正符号化装置１１２Ａが、送信データＤ１を誤り訂正符号化する。電気／光（Ｅ／Ｏ）変換器１１４Ａが、誤り訂正符号化装置１１２Ａから出力されるデータを直線偏波の光信号に変換する。Ｅ／Ｏ変換器１１４Ａの出力信号光は、光サーキュレータ１１５のポートＡ，Ｂを介して、偏光ビームスプリッタ（ＰＢＳ）１１６の主軸に対して４５度傾いた偏波方向で偏光ビームスプリッタ１１６に入射する。光サーキュレータ１１５は、ポートＡの入力光をポートＢから出力し、ポートＢの入力光をポートＣから出力する光素子である。ここでは、偏光ビームスプリッタ１１６、光遅延器１１８、偏光ビームスプリッタ１２０及び投射・集光レンズ１２２は、それぞれ、図１に示す偏波分離器１６，光遅延器１８，偏波合成器２０及び投射レンズ２２と同じ機能を果たす。投射・集光レンズ１２２は、偏光ビームスプリッタ１２０の出力信号光を空間伝送路に投射する。
【００２１】
光送受信装置１１０Ｂでは、投射・集光レンズ１３２が、光送受信装置１１０Ａから空間伝送路に投射された信号光ビームを集光し、偏光ビームスプリッタ１３４に入射する。偏光ビームスプリッタ１３４、光遅延器１３６及び偏光ビームスプリッタ１３８は、それぞれ、図１に示す実施例の偏波分離器１３４、光遅延器３６及び偏波合成器３８と同じ機能を果たす。
【００２２】
偏光ビームスプリッタ１３８から出力される合成信号光は、光サーキュレータ１３９のポートＢ，Ｃを介して光／電気（Ｏ／Ｅ）変換器１４０Ｂに入力する。Ｏ／Ｅ変換器１４０Ｂは、偏光ビームスプリッタ１３８からの合成信号光を偏波依存性無しで電気信号に変換する。弁別器１４２Ｂは、Ｏ／Ｅ変換器１４０Ｂの出力電気信号を所定の閾値に従い弁別する。誤り訂正装置１４４Ｂは、弁別器１４２Ｂで弁別されたディジタル信号に含まれる伝送エラーを、誤り訂正符号化装置１１２Ａによる誤り訂正符号を使って訂正し、受信データＤ１を出力する。
【００２３】
次に、光送受信装置１１０Ｂから光送受信装置１１０Ａへのデータ伝送を説明する。
【００２４】
光送受信装置１１０Ｂの誤り訂正符号化装置１１２Ｂが、送信データＤ２を誤り訂正符号化する。電気／光（Ｅ／Ｏ）変換器１１４Ｂが、誤り訂正符号化装置１１２Ｂから出力されるデータを直線偏波の光信号に変換する。Ｅ／Ｏ変換器１１４Ｂの出力信号光は、光サーキュレータ１３９のポートＡ，Ｂを介して、偏光ビームスプリッタ（ＰＢＳ）１３８の主軸に対して４５度傾いた偏波方向で偏光ビームスプリッタ１３８に入射する。偏光ビームスプリッタ１３８、光遅延器１３６及び偏光ビームスプリッタ１１３４は、Ｅ／Ｏ変換器１１４Ｂの出力信号光を互いに直交するＰ波とＳ波に分離し、Ｐ波をＴｄだけ遅延させ、Ｓ波と遅延したＰ波を合成する。投射・集光レンズ１３２は、偏光ビームスプリッタ１３４の出力信号光を空間伝送路に投射する。
【００２５】
光送受信装置１１０Ａでは、投射・集光レンズ１２２が、光送受信装置１１０Ｂから空間伝送路に投射された信号光ビームを集光し、偏光ビームスプリッタ１２０に入射する。偏光ビームスプリッタ１２０、光遅延器１１８及び偏光ビームスプリッタ１１６は、投射・集光レンズ１２２からの信号光を互いに直交するＰ波とＳ波に分離し、Ｓ波をＴｄだけ遅延させ、Ｐ波と遅延したＳ波を合成する。
【００２６】
偏光ビームスプリッタ１１６から出力される合成信号光は、光サーキュレータ１１５のポートＢ，Ｃを介して光／電気（Ｏ／Ｅ）変換器１４０Ａに入力する。Ｏ／Ｅ変換器１４０Ａは、偏光ビームスプリッタ１１６からの合成信号光を偏波依存性無しで電気信号に変換する。弁別器１４２Ａは、Ｏ／Ｅ変換器１４０Ａの出力電気信号を所定の閾値に従い弁別する。誤り訂正装置１４４Ａは、弁別器１４２Ａで弁別されたディジタル信号に含まれる伝送エラーを、誤り訂正符号化装置１１２Ｂによる誤り訂正符号を使って訂正し、受信データＤ２を出力する。
【００２７】
このように、本実施例では、空間伝送路の前後に配置される光学系を双方向に利用して、双方向のデータ伝送を実現できる。光送受信装置１１０Ａから光送受信装置１１０Ｂへのデータ伝送と、その逆のデータ伝送のどちらにおいても、光路遮断が発生した場合に支障なくデータを伝送できる。
【実施例３】
【００２８】
図４は、本発明の第３実施例の概略構成ブロック図を示す。図１に示す実施例では、互いに直交する偏波で伝送される信号を光学的に合成したが、電気信号に変換してから合成してもよい。図４に示す実施例では、光受信装置３０Ａにおいて、互いに直交する偏波の信号光を個別に電気信号に変換した後で、合成する。図１と同じ構成要素には同じ符号を付してある。変更部分の構成と動作を主に説明する。
【００２９】
光受信装置３０Ａでは、集光レンズ７０は、光送信装置１０から空間伝送路に投射された信号光ビームを集光し、偏波分離器７２に入射する。偏波分離器７２は、集光レンズ７０からの信号光ビームを、偏波分離器１６により分離されたＰ波と同じ偏波方向の成分（Ｐ波）とこれに直交する偏波方向の成分（Ｓ波）に分離し、前者を光／電気（Ｏ／Ｅ）変換器７４Ｐに、後者を光／電気（Ｏ／Ｅ）変換器７４Ｓに供給する。
【００３０】
Ｏ／Ｅ変換器７４Ｐは、偏波分離器７２により分離されたＰ波の信号光を電気信号に変換し、弁別器７６Ｐは、Ｏ／Ｅ変換器７４Ｐの出力電気信号を所定閾値で弁別する。電気遅延器７８は、弁別器７６Ｐの出力電気信号を、光遅延器１８の遅延時間Ｔｄと同じ時間だけ遅延する。他方、Ｏ／Ｅ変換器７４Ｓは、偏波分離器７２により分離されたＳ波の信号光を電気信号に変換し、弁別器７６Ｓは、Ｏ／Ｅ変換器７４Ｓの出力電気信号を所定閾値で弁別する。オア回路８０は、電気遅延器７８の出力電気信号と弁別器７６Ｓの出力電気信号との間の論理和（オア演算）を取り、その結果を誤り訂正装置８２に出力する。オア回路８０の論理和演算は、図１に示す実施例の偏波合成器３８による偏波合成に対応する。誤り訂正装置８２は、光送信装置１０の誤り訂正符号化装置１２で付加された誤り訂正符号を使用して、オア回路８０の出力信号に含まれる伝送エラーを訂正する。
【００３１】
電気遅延器７８の代わりに、偏波分離器７２と光／電気変換器７４Ｐの間に光遅延器を配置しても良い。
【００３２】
弁別器７６Ｐ，７４Ｓの代わりに、オア回路８０と誤り訂正装置８２との間に弁別器を配置しても良い。また、各偏波で伝送されるデータの伝送エラーを訂正した後に、同じタイミングに戻して合成しても良い。この場合には、弁別器７６Ｐ，７６Ｓの出力に誤り訂正装置を挿入することになる。
【実施例４】
【００３３】
図５は、本発明の第４実施例の概略構成ブロック図を示す。第１乃至第３の各実施例では、同じデータ信号を、同じビーム上の互いに直交する偏波で時間的にずらして伝送した。これにより、光送信装置と光受信装置との間の光軸調整が容易になる。これに対し、第４実施例では、直交する偏波を使用せずに、空間位置の異なる２系統の光ビームを使用するので、光軸調整の手間が増すものの、偏波の分離及び合成のための光素子を省略できる。
【００３４】
光送信装置２１０では、誤り訂正符号化装置２１２が、送信データＤを誤り訂正符号化する。電気遅延器２１４は、誤り訂正符号化装置２１２の出力データをＴｄだけ遅延して、電気／光（Ｅ／Ｏ）変換器２１６に印加する。Ｅ／Ｏ変換器２１６は、遅延器２１４からのデータ信号を光信号に変換する。Ｅ／Ｏ変換器２１６の出力信号光は、投射レンズ２１８により受信装置２４０に向けて投射される。即ち、投射レンズ２１８により投射される光ビーム２３０が、光受信装置２４０に入力する。また、Ｅ／Ｏ変換器２２０は、誤り訂正符号化装置２１２の出力データ信号を光信号に変換する。Ｅ／Ｏ変換器２２０の出力信号光は、投射レンズ２２２により受信装置２４０に向けて投射される。即ち、投射レンズ２２２により投射される光ビーム２３２が、光受信装置２４０に入力する。
【００３５】
光受信装置２４０の集光レンズ２４２は、光送信装置２１０の投射レンズ２１８により投射された信号光ビーム２３０を集光し、光／電気（Ｏ／Ｅ）変換器２４４に入射する。Ｏ／Ｅ変換器２４４は、集光レンズ２４２からの光信号を電気信号に変換する。弁別器２４６は、Ｏ／Ｅ変換器２４４の出力電気信号を所定の閾値に従い弁別する。また、集光レンズ２４８は、光送信装置２１０の投射レンズ２２２により投射された信号光ビーム２３２を集光し、光／電気（Ｏ／Ｅ）変換器２５０に入射する。Ｏ／Ｅ変換器２５０は、集光レンズ２４８からの光信号を電気信号に変換する。弁別器２５２は、O／E変換器２５０の出力電気信号を所定の閾値に従い弁別する。遅延器２５４は、弁別器２５２の出力データを、遅延器２１４の遅延時間Ｔｄと同じ時間だけ、遅延する。
【００３６】
オア回路２５６は、弁別器２４６の出力データ及び遅延器２５４の出力データの論理和を取り、その結果を誤り訂正装置２５８に印加する。誤り訂正装置２５８は、オア回路２５６から出力されるディジタル信号に含まれる伝送エラーを、誤り訂正符号化装置２１２による誤り訂正符号を使って訂正する。
【００３７】
例えば、光ビーム２３０，２３２の一方又は両方を鳥等が瞬間的に遮断したとすると、その遮断期間では、弁別器２４６，２５２の出力信号はゼロレベルになる。しかし、送信時に予め、遅延器２１４により光ビーム２３０で搬送されるデータを光ビーム２３２で搬送されるデータより遅らせてあるので、ビーム遮断によるエラーは、光ビーム２３０と光ビーム２３２とでは、伝送データ上の全く異なるタイミングで存在する。即ち、光弁別器２４６の出力データにビーム遮断によるエラーがあっても、その同じ時点で、遅延器２５４の出力データには、ビーム遮断によるエラーは存在しない。その逆も同様である。この作用は、第１乃至第３実施例と同じである。オア回路２５６が弁別器２４６の出力と遅延器２５４の出力の論理和をとることにより、ビーム遮断によるエラーを、ビーム遮断を受けていない正常なデータで置換できる。
【００３８】
弁別器２４６，２５２の代わりに、オア回路２５６と誤り訂正装置２５８との間に弁別器を配置しても良い。また、弁別器２４６，２５２の出力データを誤り訂正してから、一方を遅延し、両データを合成してもよい。
【００３９】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４０】
【図１】本発明の第１実施例の概略構成ブロック図である。
【図２】図１に示す実施例のタイミングチャート例である。
【図３】本発明の第２実施例の概略構成ブロック図である。
【図４】本発明の第３実施例の概略構成ブロック図である。
【図５】本発明の第４実施例の概略構成ブロック図である。
【符号の説明】
【００４１】
１０：光送信装置
１２：誤り訂正符号化装置
１４：電気／光（Ｅ／Ｏ）変換器
１６：偏波分離器
１８：光遅延器
２０：偏波合成器
２２：投射レンズ
３０，３０Ａ：光受信装置
３２：集光レンズ
３４：偏波分離器
３６：光遅延器
３８：偏波合成器
４０：光／電気（Ｏ／Ｅ）変換器
４２：弁別器
４４：誤り訂正装置
７０：集光レンズ
７２：偏波分離器
７４Ｐ，７４Ｓ：光／電気（Ｏ／Ｅ）変換器
７６Ｐ，７６Ｓ：弁別器
７８：遅延器
８０：オア回路
８２：誤り訂正装置
１１０Ａ，１１０Ｂ：光送受信装置
１１２Ａ，１１２Ｂ：誤り訂正符号化装置
１１４Ａ，１１４Ｂ：電気／光（Ｅ／Ｏ）変換器
１１５：光サーキュレータ
１１６：偏光ビームスプリッタ（ＰＢＳ）
１１８：光遅延器
１２０：偏光ビームスプリッタ
１２２：投射・集光レンズ
１３２：投射・集光レンズ
１３４：偏光ビームスプリッタ
１３６：光遅延器
１３８：偏光ビームスプリッタ
１３９：光サーキュレータ
１４０Ａ，１４０Ｂ：光／電気（Ｏ／Ｅ）変換器
１４２Ａ，１４２Ｂ：弁別器
１４４Ａ，１４４Ｂ：誤り訂正装置
２１０：光送信装置
２１２：誤り訂正符号化装置
２１４：遅延器
２１６：電気／光（Ｅ／Ｏ）変換器
２１８：投射レンズ
２２０：電気／光（Ｅ／Ｏ）変換器
２２２：投射レンズ
２３０，２３２：光ビーム
２４０：光受信装置
２４２：集光レンズ
２４４：光／電気（Ｏ／Ｅ）変換器
２４６：弁別器
２４８：集光レンズ
２５０：光／電気（Ｏ／Ｅ）変換器
２５２：弁別器
２５４：遅延器
２５６：オア回路
２５８：誤り訂正装置
【図１】
2005278024.tif 000003
【図２】
2005278024.tif 000004
【図３】
2005278024.tif 000005
【図４】
2005278024.tif 000006
【図５】
2005278024.tif 000007